(57)【要約】【課題】読み取りの際に新たな操作を必要とせずに、リーダの併用による読み取りを可能とする商品登録装置を提供する。【解決手段】ＲＦＩＤタグとバーコードが付された商品の登録を行う商品登録装置であって、ＲＦＩＤタグリーダのアンテナを介して読み取られたＲＦＩＤタグが、所定のＲＦＩＤタグであるか否かを判断する判断部と、所定のＲＦＩＤタグであると判断された場合、ＲＦＩＤタグリーダによるＲＦＩＤタグの読み取りを無効とする読取制御部とを備える。【選択図】図２
2017151910.tif 000002
【特許請求の範囲】
【請求項１】
ＲＦＩＤタグとバーコードが付された商品の登録を行う商品登録装置であって、
ＲＦＩＤタグリーダのアンテナを介して読み取られたＲＦＩＤタグが、所定のＲＦＩＤタグであるか否かを判断する判断部と、
前記所定のＲＦＩＤタグであると判断された場合、前記ＲＦＩＤタグリーダによるＲＦＩＤタグの読み取りを無効とする読取制御部とを、
備えることを特徴とする商品登録装置。
【請求項２】
前記所定のＲＦＩＤタグを、前記アンテナを介した読み取り可能範囲外に置く又は遮蔽物で遮蔽することで、前記所定のＲＦＩＤタグの読み取りがない場合、
前記読取制御部は、前記ＲＦＩＤタグリーダによるＲＦＩＤタグの読み取りを有効とすることを特徴とする請求項１に記載の商品登録装置。
【請求項３】
ＲＦＩＤタグとバーコードが付された商品の登録を行う商品登録装置であって、
ＲＦＩＤタグリーダのアンテナを介して読み取られたＲＦＩＤタグが、所定のＲＦＩＤタグであるか否かを判断する判断部と、
前記所定のＲＦＩＤタグであると判断された場合、前記ＲＦＩＤタグリーダによるＲＦＩＤタグの読み取りを有効とする読取制御部とを、
備えることを特徴とする商品登録装置。
【請求項４】
前記アンテナは複数あり、
前記判断部は、複数のアンテナのうち、商品に付されたＲＦＩＤタグを読み取るアンテナ以外の所定のアンテナを介して読み取られたＲＦＩＤタグが、前記所定のＲＦＩＤタグであるか否かを判断することを特徴とする請求項３に記載の商品登録装置。
【請求項５】
前記所定のＲＦＩＤタグを、前記アンテナを介した読み取り可能範囲外に置くことで、前記所定のＲＦＩＤタグの読み取りがない場合、
前記読取制御部は、前記ＲＦＩＤタグリーダによるＲＦＩＤタグの読み取りを無効とすることを特徴とする請求項３又は４に記載の商品登録装置。
【請求項６】
前記ＲＦＩＤタグリーダによって読み取られたＲＦＩＤタグに含まれる所定のコードをＲＦＩＤサーバへ送信する送信部を更に備えることを特徴とする請求項１から５のいずれか１つに記載の商品登録装置。
【請求項７】
前記判断部は、読み取られたＲＦＩＤタグが、前記商品の登録を中止する登録中止ＲＦＩＤタグであるか否かを判断し、
前記読取制御部は、前記登録中止ＲＦＩＤタグであると判断された場合、前記ＲＦＩＤタグリーダによるＲＦＩＤタグの読み取り結果を破棄させることを特徴とする請求項１から６のいずれか１つに記載の商品登録装置。
【請求項８】
前記所定のＲＦＩＤタグは、バーコードリーダ、前記アンテナ上、前記商品登録を行う登録者が身につける身分証、前記登録者が携帯するカードのいずれかに付されることを特徴とする請求項１から７のいずれか１つに記載の商品登録装置。
【請求項９】
前記読取制御部は、前記ＲＦＩＤタグリーダによるＲＦＩＤタグの読み取りにおいて、前記商品に付されたＲＦＩＤタグと前記所定のＲＦＩＤタグとで異なる電波強度を使用させることを特徴とする請求項１から８のいずれか１つに記載の商品登録装置。
【請求項１０】
前記読取制御部は、前記ＲＦＩＤタグの性能に対応した電波強度のうち、強い電波強度から弱い電波強度へ段階的に変化させて前記ＲＦＩＤタグの読み取りをさせ、各段階で読み取られたＲＦＩＤタグの中に、前記各段階で決定されたあらかじめ読み取りを確定させる性能のＲＦＩＤタグがある場合に、前記ＲＦＩＤタグの商品を読み取り確定とさせることを特徴とする請求項１から９のいずれか１つに記載の商品登録装置。
【請求項１１】
前記読取制御部は、前記ＲＦＩＤタグの性能に対応した前記電波強度を、あらかじめ配置された前記性能に対応した基準タグの読み取り時の電波強度に基づいて決定することを特徴とする請求項１０に記載の商品登録装置。
【請求項１２】
少なくとも、前記ＲＦＩＤタグリーダの読取可能状態と読取抑止状態の状態遷移時、前記読取可能状態時、前記読取抑止状態時のいずれか１つのときに、前記ＲＦＩＤタグリーダの状態を通知するための情報の出力を制御する情報出力制御部を更に備え、
前記情報出力制御部は、少なくとも音のトーン、音の出力のタイミング、表示ランプの表示色、表示ランプの点灯のさせ方のいずれか１つを制御することを特徴とする請求項１から１１のいずれか１つに記載の商品登録装置。
【請求項１３】
ＲＦＩＤタグとバーコードが付された商品の登録を行う商品登録装置による商品登録方法であって、
ＲＦＩＤタグリーダのアンテナを介して読み取られたＲＦＩＤタグが、所定のＲＦＩＤタグであるか否かを判断するステップと、
前記所定のＲＦＩＤタグであると判断された場合、前記ＲＦＩＤタグリーダによるＲＦＩＤタグの読み取りを無効または有効とするステップとを、
有することを特徴とする商品登録方法。
【発明の詳細な説明】
【技術分野】
【０００１】
本発明は、読み込んだ商品を登録する商品登録装置に関する。
【背景技術】
【０００２】
現在、ＲＦＩＤ（Radio Frequency Identification）タグを利用し、商品の登録などを行う方法が広まっている。一方で、バーコードによる商品の登録も従来から存在する。そのため、現状は、ＲＦＩＤタグとバーコードが併用される環境にある。ＲＦＩＤタグとバーコードを併用する技術の一例が下記の特許文献１に開示されている。
【０００３】
ＲＦＩＤリーダは、バーコードリーダに比べて読み取り範囲が広く、複数の商品をまとめて読み取ることが可能である。そのため、複数の商品の一括決済ができるという利点がある。その反面、周囲の余計な商品まで読み取ってしまうという不都合もある。
【０００４】
このようなことから、ＲＦＩＤタグとバーコードの併用で問題となることがある。すなわち、１つの商品読取カウンタ上でバーコードリーダとＲＦＩＤリーダを併用して読み取りを行う場合に問題が発生する。ＲＦＩＤリーダによる読み取りの場合には、バーコードリーダによる読み取り範囲が狭いため問題となることは少ない。一方、バーコードリーダによる読み取りの場合には、ＲＦＩＤリーダによる読み取りを止めておく必要がある。止めておかなければ、ＲＦＩＤリーダ側でも読み取りができてしまい、二重の読み取りになってしまうためである。この回避策として、カウンタ上の範囲をそれぞれ分けて読み取り操作をする方法や、一方のリーダの読み取り機能を停止させる方法が考えられる。
【先行技術文献】
【特許文献】
【０００５】
【特許文献１】特開２００９−１８７４０７号公報
【発明の概要】
【発明が解決しようとする課題】
【０００６】
しかし、狭いカウンタ上を分けて読み取り操作を行うのは物理的に困難であり、また一方のリーダの読み取りの停止及び開始をユーザに行わせることは操作が増えて煩わしいという問題がある。
【０００７】
本発明は、上記課題に鑑み、読み取りの際に新たな操作を必要とせずに、リーダの併用による読み取りを可能とする商品登録装置を提供することを目的とする。
【課題を解決するための手段】
【０００８】
上記目的を達成するために、本発明は、ＲＦＩＤタグとバーコードが付された商品の登録を行う商品登録装置であって、ＲＦＩＤタグリーダのアンテナを介して読み取られたＲＦＩＤタグが、所定のＲＦＩＤタグであるか否かを判断する判断部と、前記所定のＲＦＩＤタグであると判断された場合、前記ＲＦＩＤタグリーダによるＲＦＩＤタグの読み取りを無効とする読取制御部とを備えることを特徴とする。
【０００９】
また、本発明の商品登録装置において、前記所定のＲＦＩＤタグを、前記アンテナを介した読み取り可能範囲外に置く又は遮蔽物で遮蔽することで、前記所定のＲＦＩＤタグの読み取りがない場合、前記読取制御部が、前記ＲＦＩＤタグリーダによるＲＦＩＤタグの読み取りを有効とすることは、好ましい態様である。
【００１０】
また、本発明は、ＲＦＩＤタグとバーコードが付された商品の登録を行う商品登録装置であって、ＲＦＩＤタグリーダのアンテナを介して読み取られたＲＦＩＤタグが、所定のＲＦＩＤタグであるか否かを判断する判断部と、前記所定のＲＦＩＤタグであると判断された場合、前記ＲＦＩＤタグリーダによるＲＦＩＤタグの読み取りを有効とする読取制御部とを備えることを特徴とする。
【００１１】
また、本発明の商品登録装置において、前記アンテナは複数あり、前記判断部が、複数のアンテナのうち、商品に付されたＲＦＩＤタグを読み取るアンテナ以外の所定のアンテナを介して読み取られたＲＦＩＤタグが、前記所定のＲＦＩＤタグであるか否かを判断することは、好ましい態様である。
【００１２】
また、本発明の商品登録装置において、前記所定のＲＦＩＤタグを、前記アンテナを介した読み取り可能範囲外に置くことで、前記所定のＲＦＩＤタグの読み取りがない場合、前記読取制御部が、前記ＲＦＩＤタグリーダによるＲＦＩＤタグの読み取りを無効とすることは、好ましい態様である。
【００１３】
また、本発明の商品登録装置において、前記ＲＦＩＤタグリーダによって読み取られたＲＦＩＤタグに含まれる所定のコードをＲＦＩＤサーバへ送信する送信部を更に備えることは、ＲＦＩＤタグリーダ側の状態遷移が識別できることになり、好ましい態様である。
【００１４】
また、本発明の商品登録装置において、前記判断部が、読み取られたＲＦＩＤタグが、前記商品の登録を中止する登録中止ＲＦＩＤタグであるか否かを判断し、前記読取制御部が、前記登録中止ＲＦＩＤタグであると判断された場合、前記ＲＦＩＤタグリーダによるＲＦＩＤタグの読み取り結果を破棄させることは、好ましい態様である。
【００１５】
また、本発明の商品登録装置において、前記所定のＲＦＩＤタグが、バーコードリーダ、前記アンテナ上、前記商品登録を行う登録者が身につける身分証、前記登録者が携帯するカードのいずれかに付されることは、好ましい態様である。
【００１６】
また、本発明の商品登録装置において、前記読取制御部が、前記ＲＦＩＤタグリーダによるＲＦＩＤタグの読み取りにおいて、前記商品に付されたＲＦＩＤタグと前記所定のＲＦＩＤタグとで異なる電波強度を使用させることは、好ましい態様である。
【００１７】
また、本発明の商品登録装置において、前記読取制御部が、前記ＲＦＩＤタグの性能に対応した電波強度のうち、強い電波強度から弱い電波強度へ段階的に変化させて前記ＲＦＩＤタグの読み取りをさせ、各段階で読み取られたＲＦＩＤタグの中に、前記各段階で決定されたあらかじめ読み取りを確定させる性能のＲＦＩＤタグがある場合に、前記ＲＦＩＤタグの商品を読み取り確定とさせることは、好ましい態様である。
【００１８】
また、本発明の商品登録装置において、前記読取制御部が、前記ＲＦＩＤタグの性能に対応した前記電波強度を、あらかじめ配置された前記性能に対応した基準タグの読み取り時の電波強度に基づいて決定することは、好ましい態様である。
【００１９】
また、本発明の商品登録装置において、少なくとも、前記ＲＦＩＤタグリーダの読取可能状態と読取抑止状態の状態遷移時、前記読取可能状態時、前記読取抑止状態時のいずれか１つのときに、前記ＲＦＩＤタグリーダの状態を通知するための情報の出力を制御する情報出力制御部を更に備え、前記情報出力制御部が、少なくとも音のトーン、音の出力のタイミング、表示ランプの表示色、表示ランプの点灯のさせ方のいずれか１つを制御することは、好ましい形態である。
【００２０】
また、本発明は、ＲＦＩＤタグとバーコードが付された商品の登録を行う商品登録装置による商品登録方法であって、ＲＦＩＤタグリーダのアンテナを介して読み取られたＲＦＩＤタグが、所定のＲＦＩＤタグであるか否かを判断するステップと、前記所定のＲＦＩＤタグであると判断された場合、前記ＲＦＩＤタグリーダによるＲＦＩＤタグの読み取りを無効または有効とするステップとを有することを特徴とする。
【発明の効果】
【００２１】
本発明によれば、読み取りの際に新たな操作を必要とせずに、リーダの併用による読み取りを可能とする。
【図面の簡単な説明】
【００２２】
【図１】実施の形態に係るＰＯＳ端末を含むＰＯＳシステムの構成の一例を示す図である。
【図２】実施の形態に係るＰＯＳ端末の構成の一例を示す図である。
【図３】実施の形態に係るＰＯＳ端末を実現するためのハードウェア構成の一例を示す図である。
【図４】実施例１におけるＲＦＩＤタグ及びバーコードの読み取りの様子を示す図である。
【図５】実施例１における状態ごとの店員の操作及びその操作に対応するＰＯＳ端末の処理を説明するための図である。
【図６】実施例１における対応表の一例を示す図である。
【図７】実施例１における対応表に基づくＲＦＩＤタグの読み取り方法について説明するための図である。
【図８】実施例１における電波強度を動的に決定する方法について説明するための図である。
【図９】実施例１における電波強度を動的に決定する方法での読取結果を示す図である。
【図１０】実施例１における電波強度を動的に決定する方法での読取結果の電波強度イメージを示す図である。
【図１１】実施例１のＰＯＳ端末による読取制御処理フローの一例を示すフローチャートである。
【図１２】実施例２における抑止タグの読み取りを説明するための図である。
【図１３】実施例２のＰＯＳ端末による読取制御処理フローの一例を示すフローチャートである。
【図１４】実施例３における無効タグの遮蔽について説明するための図である。
【図１５】実施例３のＰＯＳ端末による読取制御処理フローの一例を示すフローチャートである。
【発明を実施するための形態】
【００２３】
以下、実施の形態について図面を参照して説明する。まず、実施の形態に係るＰＯＳ端末を含むＰＯＳシステムの一例について図１を用いて説明する。ＰＯＳシステム１は、ＰＯＳサーバ２、ＲＦＩＤサーバ３、ＰＯＳ端末（商品登録装置）４から構成されている。ＰＯＳサーバ２及びＲＦＩＤサーバ３は、ネットワーク５を介してＰＯＳ端末４と接続されている。なお、ＰＯＳサーバ２とＲＦＩＤサーバ３を１つのサーバとしてまとめてもよい。その場合のサーバは、ＰＯＳサーバ２とＲＦＩＤサーバ３の機能を有する。
【００２４】
ＰＯＳサーバ２は、ＰＯＳ端末４から送信される情報に基づいて売上処理を行うものである。ここで送信される情報は、例えばＪＡＮ（Japanese Article Number）コード、すなわち後述するバーコードである。
【００２５】
ＲＦＩＤサーバ３は、ＰＯＳ端末４から送信される情報に基づいて、例えば購入されていない商品が店外へ持ち出されていないかを店出口のゲートアンテナ等(図示省略)でチェックするものである。ここで送信される情報は、例えばＥＰＣ（Electronic Product Code）コードである。ＥＰＣコードは、後述するＲＦＩＤタグに書き込まれた情報である。
【００２６】
ＰＯＳ端末４には、ＲＦＩＤアンテナ６を有するＲＦＩＤリーダ（ＲＦＩＤタグリーダとも言う）７と、バーコードリーダ８とが接続されている。ＰＯＳ端末４は、ＲＦＩＤリーダ７によって読み取られたＲＦＩＤタグの情報や、バーコードリーダ８によって読み取られたバーコードを処理して、ＰＯＳサーバ２やＲＦＩＤサーバ３へ情報を転送する。ＰＯＳ端末４の詳細については後述する。
【００２７】
商品には、ＲＦＩＤタグ及びバーコードが付されている。ＲＦＩＤリーダ７はＲＦＩＤアンテナ６を介して読取エリア内にあるＲＦＩＤタグを読み取り、バーコードリーダ８は店員（登録者）によってかざされたバーコードを読み取る。ＲＦＩＤリーダ７は、読取エリア内にあるＲＦＩＤタグを読み取るため、その読取エリア内でバーコードリーダ８によって商品が読み取られると、重複して商品が登録されてしまう。このような重複した読み取りを防止するためのＰＯＳ端末４を以下で説明する。
【００２８】
ここで、実施の形態に係るＰＯＳ端末４の構成の一例について図２を用いて説明する。ＰＯＳ端末４は、取得データ処理部２０、データ転送部２１、表示制御部２２、ブザー制御部２３、読取データ記憶部２４、表示部２５から構成されている。なお、ＰＯＳ端末４の構成はこれに限られるものではなく、他の構成要素を含むものであってもよい。
【００２９】
取得データ処理部２０は、ＲＦＩＤリーダ７のＲＦＩＤアンテナ６を介して読み取られたＲＦＩＤタグが、所定のＲＦＩＤタグ（例えば、後述するＲＦＩＤ読取抑止タグ９やＲＦＩＤ読取無効タグ１４０）であるか否かを判断する。取得データ処理部２０は、所定のＲＦＩＤタグであると判断された場合、ＲＦＩＤリーダ７によるＲＦＩＤタグの読み取りを無効にしたり、有効にしたりする。また、取得データ処理部２０は、ＲＦＩＤタグの情報に基づくＪＡＮコードへの変換処理などを行う。また、取得データ処理部２０は、ＲＦＩＤリーダ７のＲＦＩＤアンテナ６を介して読み取られたＲＦＩＤタグが、商品の登録を中止するＲＦＩＤタグ（例えば、後述するサービス停止タグ１０）であるか否かを判断する。取得データ処理部２０は、当該ＲＦＩＤタグであると判断された場合、ＲＦＩＤリーダ７によるＲＦＩＤタグの読み取り結果を破棄させる。
【００３０】
データ転送部２１は、取得データ処理部２０によって処理された情報、すなわち上述したＥＰＣコードから変換したＪＡＮコードをＰＯＳサーバ２へ転送したり、ＥＰＣコードをＲＦＩＤサーバ３へ転送したりする。
【００３１】
なお、ＲＦＩＤサーバ３に送るＥＰＣコードは、通常は一般商品のＥＰＣコードのみで良いが、所定のＲＦＩＤタグ（読取抑止タグやサービス停止タグ）のＥＰＣコード情報も転送対象に含めることもできる。これによりＲＦＩＤタグリーダの読取状態である読取有効中（＝ＲＦＩＤリーダでの読み取り操作中）や、読取無効中（＝バーコードリーダでの読み取り操作中）、更に後述の実施例１の状態５の操作により、1件毎の取扱の完了タイミングも含めてＲＦＩＤサーバ側にて情報管理が可能となる。
【００３２】
表示制御部２２は、ＰＯＳ端末４の表示部２５に、読み取られた商品に関する情報（例えば、商品名や価格）を表示させるものである。
【００３３】
ブザー制御部（情報出力制御部とも言う）２３は、ＲＦＩＤリーダ７の各状態を店員が把握できるように情報（例えば、音や光）を出力（通知）させるものであり、音出力の一例としてはビープ音、光出力の一例としては表示ランプなどがある。情報の出力の仕方についてはビープ音を例にして後述する。
【００３４】
読取データ記憶部２４は、取得データ処理部２０によって処理された情報、すなわち読み取られた商品に関する情報などを記憶するものである。
【００３５】
次に、実施の形態に係るＰＯＳ端末４を実現するためのハードウェア構成の一例について図３を用いて説明する。ハードウェア構成は、例えば、ＣＰＵ３１、ＨＤＤ（Ｈａｒｄ Ｄｉｓｋ Ｄｒｉｖｅ）３２、ＲＯＭ（Ｒｅａｄ Ｏｎｌｙ Ｍｅｍｏｒｙ）３３、ＲＡＭ３４、通信インタフェース（Ｉ／Ｆ）３５、表示装置３６、バス３７を備えている。ＣＰＵ３１、ＨＤＤ３２、ＲＯＭ３３、ＲＡＭ３４、通信インタフェース（Ｉ／Ｆ）３５、表示装置３６は、例えば、バス３７を介して互いに接続されている。
【００３６】
ＣＰＵ３１は、バス３７を介して、ＨＤＤ３２などに格納されるＰＯＳ端末４の各種処理を行うためのプログラムを読み込み、読み込んだプログラムをＲＡＭ３４に一時的に格納し、そのプログラムにしたがって各種処理を行うものであり、主として上述した取得データ処理部２０などとして機能する。
【００３７】
ＨＤＤ３２には、ＰＯＳ端末４の各種処理を行うためのアプリケーションプログラムや、ＰＯＳ端末４の処理に必要なデータなどが格納され、主として上述した読取データ記憶部２４として機能する。
【００３８】
ＲＯＭ３３は、不揮発性メモリであって、ブートプログラムやＢＩＯＳ（ＢａｓｉｃＩｎｐｕｔ／Ｏｕｔｐｕｔ Ｓｙｓｔｅｍ）などのプログラムを記憶する。
【００３９】
ＲＡＭ３４には、揮発性メモリであって、ＣＰＵ３１に実行させるためのＯＳ（Ｏｐｅｒａｔｉｎｇ Ｓｙｓｔｅｍ）プログラムやアプリケーションプログラムの一部が一時的に格納される。また、ＲＡＭ３４には、ＣＰＵ３１による処理に必要な各種データが格納される。
【００４０】
通信インタフェース（Ｉ／Ｆ）３５は、外部（ＰＯＳサーバ２やＲＦＩＤサーバ３など）とデータの送受信を行うものであり、主として上述したデータ転送部２１として機能する。
【００４１】
表示装置３６は、商品に関する情報（商品名や価格など）を表示するものである。
バス３７は、各装置間の制御信号、データ信号などの授受を媒介する経路である。
【００４２】
以下では、ＲＦＩＤリーダ７とバーコードリーダ８で重複した読み取りがされることを防止する実施例について説明する。
【００４３】
（実施例１）
実施例１におけるＲＦＩＤタグ及びバーコードの読み取りの様子が図４に示されている。図４に示すように、カウンタ４３上の読み取りの作業エリア４０に、ＲＦＩＤタグ４１（４１ａ、４１ｂ）及びバーコード４２（４２ａ、４２ｂ）が付された帽子が２つ置かれている。カウンタ４３にはＲＦＩＤアンテナ６が設置されており、ＲＦＩＤアンテナ６は、ＲＦＩＤタグの読取エリア４４内でＲＦＩＤタグ４１の読み取りが可能である。一方、バーコードリーダ８は、バーコードの読取エリア４５内でバーコード４２の読み取りが可能である。
【００４４】
実施例１では、バーコードリーダ８の周囲（側面など）にＲＦＩＤリーダ７による読み取りを無効とするＲＦＩＤ読取抑止タグ（抑止タグ）９が付けられている。抑止タグ９の取り付け位置は、上記に限らず、店員（商品登録を行う登録者）が身につける身分証などを入れるパスケースや、店員が携帯するカードや下敷きなどに付されていてもよい。抑止タグ９や後述するサービス停止タグ１０は、例えばカウンタごとにユニークであり、それぞれを２枚付けることで二重化する。これにより、読み取りを確実に行うことができる。
【００４５】
抑止タグ９がＲＦＩＤアンテナ６を介してＲＦＩＤリーダ７で読み取られた場合には、バーコードによる読み取りが開始されたとする。その場合、ＲＦＩＤタグが読み取られても、読み取られた情報に基づいて変換されるＪＡＮコードはＰＯＳサーバ２（アプリケーション）へ転送しない。ただし、ＲＦＩＤタグの読み取り自体は継続して行われ、読み取られた情報のうちのＥＰＣコードは、ＰＯＳ端末４によってＲＦＩＤサーバ３へ転送される。
【００４６】
ＰＯＳ端末４は、抑止タグ９が読めなくなることを一定間隔で監視する。抑止タグ９が読めなくなった場合、すなわちバーコードリーダ８（抑止タグ９）がＲＦＩＤアンテナ６の読取エリア外に出た場合、ＰＯＳ端末４は、ＲＦＩＤリーダ７によるＲＦＩＤタグの読み取りを有効とする。そして、ＰＯＳ端末４は、多重通知抑止機能を初期化するとともに、商品のＲＦＩＤタグの読取情報に基づいて変換されたＪＡＮコードのＰＯＳサーバ２への通知処理を開始する。多重通知抑止機能とは、ＲＦＩＤリーダ７によってＲＦＩＤタグを一度読んだら、同じＲＦＩＤタグの読取情報の通知をさせないようにする機能である。
【００４７】
抑止タグ９は、客一人分の会計処理の区切りを認識させるための意味も持つ。客一人分の会計処理が終わった場合、その都度バーコードリーダ８をＲＦＩＤアンテナ６の読取エリアに戻す。これにより、抑止タグ９が読み取られ、客一人分の会計処理の区切りとされる。そして、次の客の商品のＲＦＩＤタグの読み取りをする場合には、バーコードリーダ８をＲＦＩＤアンテナ６の読取エリアから外す。これにより、ＰＯＳ端末４では、抑止タグ９が読み取れなくなるため、多重通知抑止機能を初期化して、次の客の商品のＲＦＩＤタグの読取情報に基づいて変換されたＪＡＮコードをＰＯＳサーバ２へ転送する。
【００４８】
また、上記以外に、図１に示すサービス停止タグ１０も用意し、ＰＯＳ端末４は、サービス停止タグ１０がＲＦＩＤリーダ７によって読み取られている間は読取情報をＰＯＳサーバ２やＲＦＩＤサーバ３に通知せず、読取情報を破棄する。
【００４９】
なお、抑止タグ９とサービス停止タグ１０の読み取りは１回の読み取りで読み取り成立とし、一定間隔でＮ回連続で読めない場合に読み取り不成立としてもよい。また、それぞれのタグにおける優先度についてはサービス停止タグ１０が高いとしてもよい。また、読取頻度については、例えば、抑止タグ９やサービス停止タグ１０は１秒程度、その他のＲＦＩＤタグは通常の読取サイクル（１秒より遅い又は早い）としてもよい。
【００５０】
また、多重通知抑止機能が働き出すタイミングは、抑止タグ９が読み取れなくなった時点とし、そこで過去の抑止の情報をクリアして当該機能が再スタートする。
【００５１】
ここで、上述した出力情報（ビープ音）による状態通知について説明する。ＲＦＩＤリーダ７の状態を店員が把握することができるようにするため、例えば、店員への出力情報としてビープ音を出力する。ＲＦＩＤリーダ７の状態には、例えば、ＰＯＳ端末４によるサービスが停止されているサービス停止状態（後述する状態１）、バーコードリーダ８をＲＦＩＤアンテナ６の読取エリアに置く客待ち状態（後述する状態２）、ＲＦＩＤタグの読み取り後の情報（ＪＡＮコード）の通知を抑止されたＲＦＩＤ読取抑止状態（後述する状態３）、ＲＦＩＤタグの読み取り後の情報（ＪＡＮコード）の通知が可能なＲＦＩＤ読取可能状態（後述する状態４）、１件の取扱いが終了したときの取扱終了状態（後述する状態５）がある。
【００５２】
具体的には、サービス停止状態では何もせずに無音とする。客待ち状態では、ＲＦＩＤタグの読み取りを抑止する状態に移行したため、高いビープ音を連続２回出力した後、一定間隔Ａ（例えば、３秒間隔）で低いビープ音を出力する。ＲＦＩＤ読取抑止状態では、一定間隔Ａで低いビープ音を出力する。ＲＦＩＤ読取可能状態では、一定間隔Ｂ（例えば、１秒間隔）で低いビープ音を出力する。さらに、一点ごとのＲＦＩＤタグの読み取りを示す高いビープ音（例えば、バーコードリーダ８で読み取られたときと同じ音）を出力する。また、各状態の遷移時、例えば読み取れた／読み取れなくなったという変化のタイミングで高いビープ音を連続２回出力する。なお、情報出力の方法は、上記に限定されるものではなく、例えば、音のトーンや音の出力のタイミングを変えるなど、また他の方法（例えば、表示ランプの表示色、表示ランプの点灯のさせ方による視覚を用いた通知など）であってもよい。
【００５３】
以下では、上述の状態ごとの店員の操作及びその操作に対応するＰＯＳ端末４の処理について図５を用いて説明する。状態１はカウンタのサービス停止状態である。店員の操作としては、カウンタ４３からの長時間の離席などのため、ＲＦＩＤアンテナ６上にサービス停止タグ１０が付されたサービス停止看板４６（図４参照）を置く。
【００５４】
一方、ＰＯＳ端末４は、サービス停止タグ１０が読み取られた場合、すべてのＲＦＩＤタグの読取情報を破棄する。ＰＯＳ端末４は、サービス停止タグ１０の読み取りが一定間隔ごとにできているか監視する。すなわち、ＰＯＳ端末４は、サービス停止タグ１０が読み取られているかを監視する。
【００５５】
状態２は客待ち（未使用）状態である。店員の操作としては、サービス停止看板４６をＲＦＩＤアンテナ６上（ＲＦＩＤアンテナ６の読取エリア）から外し、ＲＦＩＤアンテナ６上に抑止タグ９が付されたバーコードリーダ８を置く。このとき、店員は、例えば、高いビープ音を連続２回、続いて一定間隔Ａで低いビープ音を聞くことでＲＦＩＤ読取抑止状態に入ったことを認識する。
【００５６】
一方、ＰＯＳ端末４は、サービス停止タグ１０がなくなり、抑止タグ９が読み取られた場合、抑止タグ９の読み取りが一定間隔ごとにできているか監視する。ＰＯＳ端末４は、監視とともに、この状態で商品のＲＦＩＤタグが読み取られた場合、ＰＯＳサーバ２にはＪＡＮコードを転送せず、ＲＦＩＤサーバ３にはＥＰＣコードを転送する。このとき、ＰＯＳ端末４は、ＲＦＩＤ読取抑止状態に移行したことを店員に知らせるため、高いビープ音を連続２回出力した後に、ＲＦＩＤ読取抑止状態では一定間隔Ａ（例えば、３秒間隔）で低いビープ音を連続して出力する。この状態では、多重通知抑止機能は無効状態である。
【００５７】
状態３はＲＦＩＤ読取抑止状態でバーコードリーダ８での商品読取操作の状態である。店員の操作としては、バーコードリーダ８がＲＦＩＤアンテナ６上で操作されるように、バーコードリーダ８によってバーコードを読み取る。そして、読み取り操作によって売上処理が行われる。このとき、店員は、ビープ音が上記同様、一定間隔Ａで継続していることによってＲＦＩＤ読取抑止状態であることを認識する。
【００５８】
一方、ＰＯＳ端末４は、抑止タグ９が読み取られている状態で、商品のＲＦＩＤタグが読み取られた場合、ＰＯＳサーバ２にはＪＡＮコードを転送せず、ＲＦＩＤサーバ３にはＥＰＣコードを転送する。このとき、ＰＯＳ端末４は、上記同様、ビープ音を一定間隔Ａで継続して出力する。この状態においても、多重通知抑止機能は無効状態である。
【００５９】
状態４はＲＦＩＤアンテナ６を介したＲＦＩＤリーダ７での商品読取操作の状態である。店員の操作としては、バーコードリーダ８をＲＦＩＤアンテナ６上から外した後に、ＲＦＩＤアンテナ６上で商品のＲＦＩＤタグの読み取り操作を行う。そして、読み取り操作によって売上処理が行われる。このとき、店員は、例えば、高いビープ音を連続２回と、続いて一定間隔Ｂで低いビープ音を聞くことでＲＦＩＤ読取可能状態に入ったことを認識する。更に、店員は、実際にＲＦＩＤタグを読み取るタイミングで高いビープ音（例えば、バーコードリーダ８で読み取ったときと同じ音）を聞くことで読み取れたことを認識する。
【００６０】
一方、ＰＯＳ端末４は、抑止タグ９が読み取られない状態で、商品のＲＦＩＤタグが読み取られた場合、ＲＦＩＤタグの読取操作と判断し、読み取られたＲＦＩＤタグに基づいて、ＰＯＳサーバ２へはＪＡＮコード、ＲＦＩＤサーバ３へはＥＰＣコードを転送する。ＰＯＳ端末４は、抑止タグ９が読み取られなくなった時点で多重通知抑止機能を初期化し、当該機能を再スタートさせる。このとき、ＰＯＳ端末４は、ＲＦＩＤ読取可能状態に移行したことを店員に知らせるため、高いビープ音を連続２回出力するとともに、ＲＦＩＤ読取可能状態では一定間隔Ｂ（例えば、１秒間隔）で低いビープ音を連続して出力する。更に、ＰＯＳ端末４は、実際にＲＦＩＤタグを読み取るタイミングで高いビープ音（例えば、バーコードリーダ８で読み取ったときと同じ音）を出力する。
【００６１】
状態５は１件の取扱いが終了したときの取扱終了状態である。店員の操作としては、客一人の会計処理が完了し、ＲＦＩＤアンテナ６上から商品を完全になくしたところで、バーコードリーダ８をＲＦＩＤアンテナ６上に戻して置く。これにより、状態２へ移行し、次の客が続く場合には状態３又は状態４へ移行される。
【００６２】
一方、ＰＯＳ端末４は、抑止タグ９が再び読み取られるため、ＲＦＩＤタグの読み取りを状態２へ移行する。
【００６３】
次に、抑止タグ９を含む商品のＲＦＩＤタグの読み取り方法に関して説明する。読取感度（読取距離）が異なる多種のＲＦＩＤタグを精度良く（誤読や読取漏れなく）読み取る方法として以下の方法がある。
【００６４】
１つ目の方法は、読取時の電波強度を分ける方法である。例えば、電波強度を少なくとも２段階に分け、抑止タグ９やサービス停止タグ１０を一定間隔で読み取る場合には電波強度Ａを使用し、商品のＲＦＩＤタグを読み取る場合には電波強度Ｂを使用する。電波強度Ａは、例えば、抑止タグ９やサービス停止タグ１０を読み取るための最適な強度値（固定値）で、ＰＯＳ端末４で保持されている。電波強度Ｂは、例えば、個別に一定の幅で調整可能な強度値である。
【００６５】
２つ目の方法は、読取時の電波強度を段階的に変化させる方法である。例えば、ＲＦＩＤタグの性能ごとに属性コードと読み取るための電波強度とが対応付けられた対応表に基づいて、強い電波強度から段階的にＲＦＩＤタグを読み取る。対応表の一例が図６に示されている。ここでの対応表は、商品の種別、タグ種別、属性コード、ＲＦＩＤタグを読み取るための電波強度から構成されている。
【００６６】
商品の種別は、例えば、複数の商品種があり、商品種Ａは大きいＲＦＩＤタグ、商品種Ｂは中程度のＲＦＩＤタグ、商品種Ｃは小さいＲＦＩＤタグが付された商品である。タグ種別は、ＲＦＩＤタグのタグ性能を示すものであり、ＲＦＩＤタグを読み取るための電波強度が小さいほど性能がよい。この例では、３段階の性能に分けられ、最も性能がよいＲＦＩＤタグを性能大タグとし、最も性能が悪いＲＦＩＤタグを性能小タグとしている。性能大タグは電波強度が１０であるのに対して、性能小タグは電波強度が３０である。なお、タグ種別には、制御用タグがあり、このＲＦＩＤタグに対応するのは、上述した抑止タグ９やサービス停止タグ１０などである。この例での制御用タグの電波強度は２０である。属性コードは、事業者コードや商品アイテムコードなどを示すものである。
【００６７】
上述した対応表に基づくＲＦＩＤタグの読み取り方法について図７を用いて具体的に説明する。図７に示すように、まず、最も強い電波強度（電波強度大）３０でＲＦＩＤアンテナ７９を介してＲＦＩＤタグを読み取る。このとき、性能小タグの読取エリア７０には、帽子に付された性能大タグ７１（７１ａ、７１ｂ）と時計に付された性能小タグ７２が存在する。性能中タグの読取エリア７３には、さらに、Ｔシャツに付された性能大タグ７４が存在する。性能大タグの読取エリア７５には、さらに、Ｔシャツに付された性能大タグ７６と性能中タグ（抑止タグ）７７が存在する。不図示のカウンタ上には、本来、読み取りを期待する読取エリア７８が存在する。
【００６８】
電波強度３０で読み取ると、性能小タグの読取エリア７０内には時計に付された性能小タグ７２があるため読み取られる。性能中タグの読取エリア７３内には性能中タグがないため読み取られない。性能大タグの読取エリア７５には、帽子に付された性能大タグ７１（７１ａ、７１ｂ）とＴシャツに付された性能大タグ７４、７６があるため、これらが読み取られる。電波強度大による読取時では、通信距離の短い（性能小）とされる属性のＲＦＩＤタグが付された商品のみを読取確定とする。すなわち、時計のみを読取確定とし、他の商品については読み捨てる。
【００６９】
次に、電波強度大より弱い電波強度（電波強度中）２０でＲＦＩＤタグを読み取る。このとき、性能小タグの読取エリア７０には、ＲＦＩＤタグは存在しない。性能中タグの読取エリア７３には、帽子に付された性能大タグ７１（７１ａ、７１ｂ）が存在する。性能大タグの読取エリア７５には、さらに、Ｔシャツに付された性能大タグ７４が存在する。
【００７０】
電波強度２０で読み取ると、性能小タグの読取エリア７０内には性能小タグがないため読み取られない。性能中タグの読取エリア７３内には性能中タグがないため読み取られない。性能大タグの読取エリア７５には、帽子に付された性能大タグ７１（７１ａ、７１ｂ）とＴシャツに付された性能大タグ７４があるため、これらが読み取られる。電波強度中による読取時では、次に通信距離の短い（性能中）とされる属性のＲＦＩＤタグが付された商品のみを読取確定とする。すなわち、この場合、読取確定の商品はなく、読み取られた性能大タグの商品については読み捨てる。このとき、基本的に、性能小タグは読み取られないが、読み取られた場合には読取確定としてもよい。
【００７１】
次に、電波強度中より弱い電波強度（電波強度小）１０でＲＦＩＤタグを読み取る。このとき、性能小タグの読取エリア７０には、ＲＦＩＤタグは存在しない。性能中タグの読取エリア７３にもＲＦＩＤタグは存在しない。性能大タグの読取エリア７５には、帽子に付された性能大タグ７１（７１ａ、７１ｂ）が存在する。
【００７２】
電波強度１０で読み取ると、性能小タグの読取エリア７０内には性能小タグがないため読み取られない。性能中タグの読取エリア７３内には性能中タグがないため読み取られない。性能大タグの読取エリア７５には、帽子に付された性能大タグ７１（７１ａ、７１ｂ）があるため、これが読み取られる。電波強度小による読取時では、次に通信距離の短い（性能大）とされる属性のＲＦＩＤタグが付された商品のみを読取確定とする。すなわち、この場合、帽子を読取確定とする。このとき、基本的に、性能小タグ及び性能中タグは読み取られないが、読み取られた場合には読取確定としてもよい。このように、電波強度を段階的に制御して性能の異なるＲＦＩＤタグを読み取ることによって、すべての商品を読取確定とする。
【００７３】
なお、上述の電波強度の区分け（読取処理のレベル）は３つに限られるものではなく、２つ以上であればよく、各電波強度はあらかじめ測定しておき、固定的に設定してもよい。また、図８に示すように、不図示のカウンタ上の読取エリアに基準タグを配置しておき、ＰＯＳ端末４の起動時に基準タグを読み取ることで上記電波強度を動的に決定してもよい。
【００７４】
ここで、動的に電波強度を決定する方法について図８を用いて説明する。図８に示すように、電波強度決定用の基準タグ（性能大基準タグ８１、性能中基準タグ８２、性能小基準タグ８３）を期待する読取エリア８０上にそれぞれ固定的に配置しておく。なお、読取エリア８０は、店員ごとの操作性に応じて決定してもよい。また、基準タグの取り付け位置は、余裕を持たせるため、読取エリア８０より少し外側にすることが好ましい。
【００７５】
例えば、ＰＯＳ端末４の設置環境の現場調査時や読取エリアを変更した場合、又は毎朝のＰＯＳ端末４の起動時に基準タグの読取（診断）を実行する。この処理は、保守や起動プログラムに組み込んでおけばよく、方法としては電波強度を小さい方から徐々に上げていき、各基準タグが読み取れた時点で各読取エリアの電波強度とする。読取結果を図９、このときの電波強度イメージを図１０に示す。
【００７６】
ここでは、図９に示すように、性能大基準タグが読み取られるときの電波強度は１０、性能中基準タグが読み取られるときの電波強度は２０、性能小基準タグが読み取られるときの電波強度は３０という結果となっている。この結果をイメージ化したものが図１０に示されている。
【００７７】
以降の通常の運用では、上記電波強度の値を使用して図７で説明した性能の異なるＲＦＩＤタグの読み取り処理を行う。
【００７８】
次に、実施例１のＰＯＳ端末による読取制御の処理フローの一例について図１１を用いて説明する。ＰＯＳ端末４は、サービス停止タグ１０が読み取られたか判断する（ステップＳ１１０１）。サービス停止タグ１０が読み取られた場合（ステップＳ１１０１でＹｅｓ）、ＰＯＳ端末４は、ＲＦＩＤリーダ７によって読み取られたＲＦＩＤタグの読取情報を破棄する（ステップＳ１１０２）。読み取られない場合（ステップＳ１１０１でＮｏ）、ステップＳ１１０１へ戻る。
【００７９】
その後、サービス停止看板４６が読取エリアから外された後、ＰＯＳ端末４は、抑止タグ９が読み取られたか判断する（ステップＳ１１０３）。抑止タグ９が読み取られた場合（ステップＳ１１０３でＹｅｓ）、ＰＯＳ端末４は、ＲＦＩＤリーダ７によって商品のＲＦＩＤタグが読み取られると、ＥＰＣコードをＲＦＩＤサーバ３へ転送する（ステップＳ１１０４）。抑止タグ９が読み取られない場合（ステップＳ１１０３でＮｏ）、ステップＳ１１０３へ戻る。
【００８０】
ＰＯＳ端末４は、抑止タグ９が読み取られたか判断する（ステップＳ１１０５）。抑止タグ９が読み取られない場合（ステップＳ１１０５でＮｏ）、ＰＯＳ端末４は、商品のＲＦＩＤタグが読み取られたか否かを判断する（ステップＳ１１０６）。商品のＲＦＩＤタグが読み取られた場合（ステップＳ１１０６でＹｅｓ）、ＰＯＳ端末４は、ＪＡＮコードをＰＯＳサーバ２へ、ＥＰＣコードをＲＦＩＤサーバ３へ転送する（ステップＳ１１０７）。一方、抑止タグ９が読み取られた場合（ステップＳ１１０５でＹｅｓ）、ステップＳ１１０４へ戻る。また、商品のＲＦＩＤタグが読み取れない場合（ステップＳ１１０６でＮｏ）、ステップＳ１１０６へ戻る。
【００８１】
ＰＯＳ端末４は、抑止タグ９が読み取られたかを判断する（ステップＳ１１０８）。ＰＯＳ端末４は、抑止タグ９が読み取られた場合（ステップＳ１１０８でＹｅｓ）、ＲＦＩＤタグの読み取りを客待ちの状態にする（ステップＳ１１０９）。抑止タグ９が読み取られない場合（ステップＳ１１０８でＮｏ）、ステップＳ１１０６へ戻る。
【００８２】
（実施例２）
実施例２では、実施例１と同様、バーコードリーダ８の周囲（例えば、側面）に、ＲＦＩＤリーダ７による読み取りを無効とするＲＦＩＤ読取抑止タグ（抑止タグ）９を付けておく。さらに、図１２に示すように、バーコードリーダ８を使用しないときに一時的に置くための置き台１２０を新たに設ける。置き台１２０の下方には、ＲＦＩＤアンテナ６とは別に、読取エリア１２２を有するＲＦＩＤアンテナ１２１が設置される。ＲＦＩＤアンテナ１２１は、商品に付されたＲＦＩＤタグを読み取るＲＦＩＤアンテナ６以外のアンテナである。
【００８３】
ＰＯＳ端末４は、ＲＦＩＤアンテナ１２１を介して読み取られたＲＦＩＤタグが、抑止タグ９であるか否かを判断する。抑止タグ９がＲＦＩＤアンテナ１２１を介して読み取られている場合には、ＲＦＩＤリーダ７によるＲＦＩＤタグの読み取りを有効とする。
【００８４】
一方、抑止タグ９がＲＦＩＤアンテナ１２１を介して読み取られなくなった場合、ＰＯＳ端末４は、バーコードリーダ８が置き台１２０から持ち出され、バーコードの読み取りが開始されたと判断する。この判断により、ＰＯＳ端末４はＲＦＩＤリーダ７によるＲＦＩＤタグの読み取りを無視（無効と）する。または、ＰＯＳ端末４は、ＲＦＩＤリーダ７による読み取りを一時停止し、抑止タグ９が一定間隔でＲＦＩＤアンテナ１２１を介して読み取られるか監視する。監視の結果、抑止タグ９が読み取られた場合、ＲＦＩＤリーダ７による読み取りが開始される。これにより、ＲＦＩＤタグの読み取り期間を更に狭めることができ、リーダの確実な使い分けが可能となる。
【００８５】
なお、例えば、ＲＦＩＤタグの読み取りが少ない場合には、バーコードリーダ８は常に置き台１２０から外しておき、ＲＦＩＤタグを読み取りたい場合にのみ、バーコードリーダ８を置き台１２０にセットすればよい。また、実施例２においても、実施例１と同様、抑止タグ９の取り付け位置は上記に限られるものではない。
【００８６】
次に、実施例２のＰＯＳ端末による読取制御の処理フローの一例について図１３を用いて説明する。ＰＯＳ端末４は、ＲＦＩＤアンテナ１２１を介して抑止タグ９が読み取られたか判断する（ステップＳ１３０１）。抑止タグ９が読み取られない場合（ステップＳ１３０１でＮｏ）、バーコードリーダ８による読み取りが開始されたとして、ＰＯＳ端末４は、商品のＲＦＩＤタグが読み取られたか判断する（ステップＳ１３０２）。商品のＲＦＩＤタグが読み取られた場合（ステップＳ１３０２でＹｅｓ）、ＰＯＳ端末４は、ＥＰＣコードをＲＦＩＤサーバ３へ転送する（ステップＳ１３０３）。商品のＲＦＩＤタグが読み取られない場合（ステップＳ１３０２でＮｏ）、ステップＳ１３０２へ戻る。
【００８７】
一方、抑止タグ９が読み取られた場合（ステップＳ１３０１でＹｅｓ）、ＲＦＩＤリーダ７による読み取りが開始されたとして、ＰＯＳ端末４は、商品のＲＦＩＤタグが読み取られたか否かを判断する（ステップＳ１３０４）。商品のＲＦＩＤタグが読み取られた場合（ステップＳ１３０４でＹｅｓ）、ＰＯＳ端末４は、ＪＡＮコードをＰＯＳサーバ２へ、ＥＰＣコードをＲＦＩＤサーバ３へ転送する（ステップＳ１３０５）。一方、商品のＲＦＩＤタグが読み取られない場合（ステップＳ１３０４でＮｏ）、ステップＳ１３０４へ戻る。
【００８８】
（実施例３）
実施例３では、図１４に示すように、遮蔽物１４１を備えるバーコードリーダ８を利用する。遮蔽物１４１は、カウンタ上、すなわち不図示のＲＦＩＤアンテナ６上にあるＲＦＩＤ読取無効タグ（無効タグ）１４０の読み取りを遮蔽するものである。すなわち、遮蔽物１４１は、無効タグ１４０とＲＦＩＤアンテナ６との間の通信を遮蔽（遮断）するものである。具体的には、遮蔽物１４１が、カウンタ上（ＲＦＩＤアンテナ６上）の無効タグ１４０の上に載せられる（置かれる）ことで、電波が遮蔽される。このとき、無効タグ１４０は、ＲＦＩＤアンテナ６を介して読み取れる位置に配置される。また、遮蔽物１４１は、電波を遮蔽するものであって、例えば金属板などである。
【００８９】
ＲＦＩＤアンテナ６を介して無効タグ１４０が読み取られている間は、無効タグ１４０は遮蔽されていない、すなわちバーコードリーダ８が使用されている。そのため、その場合には、ＰＯＳ端末４は、ＲＦＩＤリーダ７によるＲＦＩＤタグの読み取りを無効として扱う。
【００９０】
無効タグ１４０が読み取られなくなった場合には、無効タグ１４０が遮蔽された、すなわち、バーコードリーダ８が置かれたことを意味する。よって、ＰＯＳ端末４は、それ以降のＲＦＩＤリーダ７による読み取りを有効として扱う。さらに、ＰＯＳ端末４は、読取頻度（読取サイクル）もあらかじめ定めた短い間隔で行う。
【００９１】
また、ＰＯＳ端末４は、無効タグ１４０が読み取られている場合には、読取電波強度を、例えば弱い方向に変更させ、無効タグ１４０が読み取られなくなった場合には、読取電波強度を強い方向に変化させてもよい。これにより、ＲＦＩＤリーダ７によるＲＦＩＤタグの読取時の電波強度が上げられるため、確実な読み取りが可能となる。
【００９２】
また、無効タグ１４０が読み取られている場合でも、実施例１と同様、ＰＯＳ端末４は、ＲＦＩＤサーバ３へＲＦＩＤ読取情報（ＥＰＣコード）を転送するようにする。
【００９３】
実施例３では、ＲＦＩＤアンテナの増設をする必要がないため、コストを抑えることができる。
【００９４】
次に、実施例３のＰＯＳ端末による読取制御の処理フローの一例について図１５を用いて説明する。ＰＯＳ端末４は、無効タグ１４０が読み取られているか判断する（ステップＳ１５０１）。無効タグ１４０が読み取られている場合（ステップＳ１５０１でＹｅｓ）、すなわちバーコードリーダ８による読み取りがされている場合、ＰＯＳ端末４は、商品のＲＦＩＤタグが読み取られたか判断する（ステップＳ１５０２）。商品のＲＦＩＤタグが読み取られた場合（ステップＳ１５０２でＹｅｓ）、ＰＯＳ端末４は、ＥＰＣコードをＲＦＩＤサーバ３へ転送する（ステップＳ１５０３）。商品のＲＦＩＤタグが読み取られない場合（ステップＳ１５０２でＮｏ）、ステップＳ１５０２へ戻る。
【００９５】
一方、無効タグ１４０が読み取られていない場合（ステップＳ１５０１でＮｏ）、すなわち無効タグ１４０が遮蔽され、ＲＦＩＤリーダ７による読み取りが行われている場合、ＰＯＳ端末４は、商品のＲＦＩＤタグが読み取られたか判断する（ステップＳ１５０４）。商品のＲＦＩＤタグが読み取られた場合（ステップＳ１５０４でＹｅｓ）、ＰＯＳ端末４は、ＪＡＮコードをＰＯＳサーバ２へ、ＥＰＣコードをＲＦＩＤサーバ３へ転送する（ステップＳ１５０５）。商品のＲＦＩＤタグが読み取られない場合（ステップＳ１５０４でＮｏ）、ステップＳ１５０４へ戻る。
【００９６】
上述したようなＰＯＳ端末４によれば、読み取りの際に新たな操作を必要とせずに、リーダの併用による読み取りを可能とする。
【００９７】
なお、上述した実施の形態では、ＰＯＳ端末４などの主な処理をＣＰＵによるソフトウェア処理によって実行するものとして説明したが、この処理の全部又は一部をハードウェアによって実現するようにしてもよい。
【００９８】
また、上述した実施の形態は、上述したものに限定されるものではなく、実施の形態の要旨を逸脱しない範囲において種々の変更を加えることができる。
【符号の説明】
【００９９】
１  商品登録システム
２  ＰＯＳサーバ
３  ＲＦＩＤサーバ
４  ＰＯＳ端末
５  ネットワーク
６、１２１  ＲＦＩＤアンテナ
７  ＲＦＩＤリーダ
８  バーコードリーダ
９  ＲＦＩＤ読取抑止タグ
１０  サービス停止タグ
２０  取得データ処理部
２１  データ転送部
２２  表示制御部
２３  ブザー制御部
２４  読取データ記憶部
２５  表示部
３１  ＣＰＵ
３２  ＨＤＤ
３３  ＲＯＭ
３４  ＲＡＭ
３５  通信インタフェース（Ｉ／Ｆ）
３６  表示装置
３７  バス
４０  作業エリア
４１（４１ａ、４１ｂ）  ＲＦＩＤタグ
４２（４２ａ、４２ｂ）  バーコード
４３  カウンタ
４４  ＲＦＩＤタグの読取エリア
４５  バーコードの読取エリア
４６  サービス停止看板
７０  性能小タグの読取エリア
７１（７１ａ、７１ｂ）  性能大タグ
７２  性能小タグ
７３  性能中タグの読取エリア
７４  性能大タグ
７５  性能大タグの読取エリア
７６  性能大タグ
７７  性能中タグ（抑止タグ）
７８、８０  期待する読取エリア
７９  ＲＦＩＤアンテナ
８１  性能大基準タグ
８２  性能中基準タグ
８３  性能小基準タグ
１２０  置き台
１２２  読取エリア
１４０  無効タグ
１４１  遮蔽物
【図１】
2017151910.tif 000003
【図２】
2017151910.tif 000004
【図３】
2017151910.tif 000005
【図４】
2017151910.tif 000006
【図５】
2017151910.tif 000007
【図６】
2017151910.tif 000008
【図７】
2017151910.tif 000009
【図８】
2017151910.tif 000010
【図９】
2017151910.tif 000011
【図１０】
2017151910.tif 000012
【図１１】
2017151910.tif 000013
【図１２】
2017151910.tif 000014
【図１３】
2017151910.tif 000015
【図１４】
2017151910.tif 000016
【図１５】
2017151910.tif 000017